(57)【特許請求の範囲】
【請求項１】
被記録媒体に対して記録処理を施す記録処理部と、
前記被記録媒体を支持する媒体支持面から裏面に貫通する複数の第１吸引孔が形成された媒体支持部と、
前記裏面側に、それぞれが少なくとも１つの前記第１吸引孔に連通する複数の第１吸引部と、
前記複数の第１吸引部の前記媒体支持部とは反対側に配置される第２吸引部と、
前記複数の第１吸引部と前記第２吸引部との間に配置され、各第１吸引部と前記第２吸引部とを連通させる複数の第２吸引孔が形成された壁部と、
前記第１吸引孔および前記第２吸引孔を介して前記媒体支持面上に配置された前記被記録媒体を吸引する吸引機構と、
前記媒体支持面よりも小さい面積を有し、前記壁部の裏面側に当該壁部と平行に配置されるとともに前記被記録媒体の搬送方向に交差する方向に沿って平行移動可能であり、前記平行移動の方向に長さが異なるとともに前記複数の第２吸引孔を選択的に閉塞可能な閉塞部が設けられたスライド部材と、を備え、
前記スライド部材は、前記壁部の前記裏面側に平行に配置されたスライド板と、前記スライド板上に配置された複数の前記閉塞部と、から構成される
ことを特徴とする記録装置。
【請求項２】
前記複数の閉塞部は、前記平行移動の方向の位置に従って、順次、長さが異なる
ことを特徴とする請求項１に記載の記録装置。
【請求項３】
前記媒体支持部と前記壁部との間に配置されるとともに、前記被記録媒体の搬送方向に交差する方向で隣り合う前記複数の第１吸引部同士を仕切る仕切部が複数設けられている
ことを特徴とする請求項１または２に記載の記録装置。
【請求項４】
前記閉塞部が、前記壁部に向かって弾性変形された状態で組み込まれている
ことを特徴とする請求項１から３のいずれか一項に記載の記録装置。
【請求項５】
前記被記録媒体の搬送方向に交差する方向に並ぶ複数の前記第２吸引孔によって形成される孔列を前記搬送方向に複数有し、前記孔列ごとに前記スライド部材が複数設けられている
ことを特徴とする請求項１から４のいずれか一項に記載の記録装置。
【発明の詳細な説明】
【技術分野】
【０００１】
本発明は、記録装置に関するものである。
【背景技術】
【０００２】
インクジェットプリンター等の記録装置では、記録用紙等の被記録媒体に対して記録処理を行う際に、被記録媒体が記録ヘッドに対して一定の姿勢（平行）となるようにプラテンで支持する必要がある。
【０００３】
特に、被記録媒体としてロール紙を用いる場合には、ロール紙の端部が巻きぐせ（カール）によりプラテンから浮き上がってしまうので、浮き上がりを押さえるためにプラテンにロール紙を吸引する紙吸引部を設けたものがある。
この紙吸引部は、通常、プラテンに多数の吸引孔を設けて、プラテンの裏面側に内蔵したファンにより各吸引孔を介して外気を吸引することで、ロール紙をプラテン上に吸着保持（負圧吸引）するようになっている。
【０００４】
ロール紙等の被記録媒体をプラテン上に載置し、搬送する場合には、被記録媒体のサイズ変更（幅方向の寸法変化）や搬送状態（位置）等によっては、必ずしも全ての吸引孔が被記録媒体により覆われているとは限らない。つまり、被記録媒体により覆われていない、開放状態の吸引孔が存在するため、この吸引孔から空気が漏れてしまう（エアーリークが発生する）ことになる。
そして、このような開放状態の吸引孔の数が多くなると、被記録媒体を吸着する吸着力が低下して、被記録媒体の浮き上がりを抑えることが不完全となってしまう。
【０００５】
このため、特許文献１に示すように、多数の吸引孔を形成したプラテンの裏面側に、この多数の吸引孔を段階的に開閉するシャッター機構を設け、被記録媒体の搬送状態等に応じてシャッター機構を動作させるプリンター装置が提案されている。
【先行技術文献】
【特許文献】
【０００６】
【特許文献１】特開２００２−２０５８５５号公報
【発明の概要】
【発明が解決しようとする課題】
【０００７】
特許文献１に開示された発明では、プラテンの裏面側に配置した平板状のシャッター部材をカム機構により往復移動させる構成となっている。そして、プラテンの吸引孔とシャッター部材に形成された吸引孔を重ね合わせ、その重なり合いの程度により吸引孔の開口面積を調整するようになっている。
【０００８】
しかしながら、上述した発明では、特に大型のプリンターに適用した場合に空気漏れが発生しやすいという問題がある。プラテンの吸引孔をシャッター部材（スライド部材）で閉じた際に空気漏れを抑えるためには、プラテンとシャッター部材を密着させる必要がある。ところが、大型のプリンターでは、プラテン及びシャッター部材の面積が大きくなるため、プラテンの裏面側に配置されたシャッター部材は自重により撓みやすく、これらを互いに密着させることは必ずしも容易ではないからである。
【０００９】
このように、プラテンの下方の圧力室側に配置して、プラテンの裏面側から吸引孔を塞ぐ構造の場合、吸着エリアを仕切る構造部に剛性や密着性が求められるため、機能性と操作性とがトレードオフになってしまう。
【００１０】
また、従来のシャッター部材は薄い金属板を板金加工することによって作製されるため、大判なものほど平坦度を出すのが難しい。シャッター部材の平坦性が低ければ、プラテンとの密着性が悪くなり、吸引孔から空気漏れが生じやすくなる。
【００１１】
本発明は、上述した課題に鑑みてなされたものであり、被記録媒体を確実に吸引保持することができるとともに、機能性及び操作性を向上することのできる記録装置を提供することを目的とする。
【課題を解決するための手段】
【００１２】
本発明の記録装置は、被記録媒体に対して記録処理を施す記録処理部と、前記被記録媒体を支持する媒体支持面から裏面に貫通する複数の第１吸引孔が形成された媒体支持部と、  前記裏面側に、それぞれが少なくとも１つの前記第１吸引孔に連通する複数の第１吸引部と、前記複数の第１吸引部の前記媒体支持部とは反対側に配置される第２吸引部と、前記複数の第１吸引部と前記第２吸引部との間に配置され、各第１吸引部と前記第２吸引部とを連通させる複数の第２吸引孔が形成された壁部と、前記第１吸引孔および前記第２吸引孔を介して前記媒体支持面上に配置された前記被記録媒体を吸引する吸引機構と、前記媒体支持面よりも小さい面積を有し、前記壁部の裏面側に当該壁部と平行に配置されるとともに前記被記録媒体の搬送方向に交差する方向に沿って平行移動可能であり、前記平行移動の方向に長さが異なるとともに前記複数の第２吸引孔を選択的に閉塞可能な閉塞部が設けられたスライド部材と、を備え、前記スライド部材は、前記壁部の前記裏面側に平行に配置されたスライド板と、前記スライド板上に配置された複数の前記閉塞部と、から構成されることを特徴とする。
【００１３】
これによれば、壁部の裏面側に配置されたスライド部材が媒体支持面よりも小さい面積を有するものであることから、壁部の裏面側に載置される構成であってもスライド部材がその自重によって撓みにくくなり、閉塞部を壁部に密着させることができる。このため、第２吸引孔に対する閉塞部の密着性を確保しやすく、閉塞すべき吸引孔からの空気漏れが防止される。これにより、スライド部材としての機能性および操作性を低下させることなく、壁部に設けられた第２吸引孔を閉塞部によって選択的に閉塞させることができ、被記録媒体を媒体支持面に対して吸着保持することができる。これにより記録精度を維持できる。
【００１４】
また、前記複数の閉塞部は、前記平行移動の方向の位置に従って、順次、長さが異なる構成としてもよい。
これによれば、スライド部材の平行移動量に応じて、複数の第２吸引孔を段階的に開閉することができるので、被記録媒体の幅に合わせて、吸引機構による吸引量を可変制御することができる。
【００１５】
また、前記媒体支持部と前記壁部との間に配置されるとともに、前記被記録媒体の搬送方向に交差する方向で隣り合う前記複数の第１吸引部同士を仕切る仕切部が複数設けられている構成としてもよい。
これによれば、各第１吸引部が少なくとも１つの第１吸引孔に連通していることから、仕切部によって仕切られた複数の第１吸引部と第２吸引部とを連通させる第２吸引孔を選択的に閉塞させることによって、被記録媒体の存在しない領域に位置する第１吸引孔からの空気漏れを抑制して、被記録媒体の存在する領域に位置する他の第１吸引孔による被記録媒体の吸着力が低下してしまうのを防止することができる。これにより、幅寸法の異なる被記録媒体の側部を媒体支持面に対して吸着保持させることができる。
【００１６】
また、前記閉塞部が、前記壁部に向かって弾性変形された状態で組み込まれている構成としてもよい。
これによれば、閉塞部による第２吸引孔の閉塞状態を確保することができる。
【００１７】
また、前記被記録媒体の搬送方向に並ぶ複数の前記第２吸引孔によって形成される孔列を前記搬送方向に複数有し、前記孔列ごとに前記スライド部材が複数設けられている構成としてもよい。
これによれば、媒体支持面上に載置された被記録媒体の側部を搬送方向に沿って広い範囲に亘って吸着させることができるので、被記録媒体の記録対象領域を良好な姿勢で保持することができる。また、各第１吸引部に連通する複数の第２吸引孔を介して、この第１吸引部内を迅速に負圧にすることができるので、媒体支持面上に載置された被記録媒体を素早く吸着保持することが可能となり、記録処理時間を短縮することができる。
【図面の簡単な説明】
【００１８】
【図１】第１実施形態に係るインクジェットプリンターの概略構成を示す側面図。
【図２】インクジェットプリンターの概略構成を示す上面図。
【図３】吸引機構およびシャッター機構と壁部の構成を模式的に示す断面図。
【図４】シャッター機構と壁部の構成を示す斜視図。
【図５】シャッター機構と壁部との位置関係を模式的に示す断面図。
【図６】媒体支持テーブルの吸引機構を駆動した際の作用を示す断面図。
【図７】（ａ）はスライド板の初期位置を示す概略断面図、（ｂ）は、スライド板を初期位置からＸ方向に向けて一段階だけ移動させた場合を示す概略断面図。
【図８】第２実施形態に係るシャッター機構の概略構成を示す平面図。
【発明を実施するための形態】
【００１９】
以下、本発明の実施形態につき、図面を参照して説明する。なお、以下の説明に用いる各図面では、各部材を認識可能な大きさとするため、各部材の縮尺を適宜変更している。
【００２０】
［第１実施形態］
図１は、本実施形態に係るインクジェットプリンターの概略構成を示す側面図である。図２は、インクジェットプリンター１の概略構成を示す上面図である。図３は、吸引機構およびシャッター機構と壁部の構成を模式的に示す断面図である。
【００２１】
図１に示すように、インクジェットプリンター（記録装置）１は、給送部１０と、記録部（記録処理部）２０と、排出部４０とを備えている。
給送部（媒体搬送部）１０は、被記録媒体（被支持媒体）の一例であるロール紙Ｒを記録部２０へ給送することができるように設けられている。具体的には、ロール媒体ホルダ１１を有し、ロール媒体ホルダ１１がロール状のロール紙Ｒを保持している。そして、ロール状のロール紙Ｒを回動させることにより、搬送方向下流側（Ｙ軸の矢印方向）の記録部２０へ、第１ローラ１２を介して、ロール状態を解いた状態のロール紙Ｒを給送することができるように構成されている。
【００２２】
記録部２０は、給送部１０から送られたロール紙Ｒに対して液体の一例であるインクを吐出して記録を実行することかできるように設けられている。
具体的には、記録部２０は、キャリッジ２１と、記録ヘッド２２と、媒体支持テーブル２４と、カール押さえ部３０１等とを有している。
【００２３】
キャリッジ２１は、媒体支持テーブル２４と対向し、不図示の第２ガイド軸に案内されながら、不図示のキャリッジモーターの動力によって、ロール紙Ｒの搬送方向Ｙに移動することができるように設けられている。
なお、図１では、キャリッジ２１が媒体支持テーブル２４より搬送方向上流側へ退避した状態を示している。
【００２４】
また、記録ヘッド２２は、キャリッジ２１に設けられ、搬送方向Ｙにおいてキャリッジ２１と一体に移動することができるように設けられている。
さらに、記録ヘッド２２は、幅方向Ｘにおいて、キャリッジ２１に対して相対的に移動することができるように構成されている。具体的には、不図示の第２ガイド軸に案内されながら、不図示の記録ヘッドモーターの動力によって、幅方向Ｘに移動することができるように設けられている。
【００２５】
すなわち、記録ヘッド２２は、媒体支持テーブル２４と対向する範囲において、搬送方向であるＹ方向（副走査方向）および幅方向であるＸ方向（主走査方向）へ移動することができるように構成されている。
そして、記録ヘッド２２における媒体支持テーブル２４と対向する面に設けられたノズル列２３からインクを吐出することにより、ロール紙Ｒに記録を実行することができる。
【００２６】
媒体支持テーブル（媒体吸着支持装置）２４は、ロール紙Ｒをその裏面側から支持することができるように設けられている。媒体支持テーブル２４は、ロール紙Ｒを支持する媒体支持面２５ａ（図２）を有するプラテン（媒体支持部）２５と、複数の圧力室（第１吸引部）２７Ａおよび圧力室（第２吸引部）２７Ｂを形成する圧力室形成体４５と、上記圧力室２７Ａ，２７Ｂに対して負圧を供給する吸引機構２８とを備えている。
【００２７】
図２に示すように、プラテン２５には、例えば、内径が数ｍｍ程度の貫通孔からなる吸引孔（第１吸引孔）２６が、ロール紙Ｒを支持する媒体支持面２５ａの略全体に亘って形成されている。具体的には、内径２〜３ｍｍの吸引孔２６が、プラテン２５の長手方向であるＹ方向（ロール紙Ｒの搬送方向）と、幅方向であるＸ方向（ロール紙Ｒ）の幅方向）とに、それぞれ配列形成されている。
【００２８】
図３に示すように、圧力室形成体４５は、その内側に、底部とは離間して平行に配置された壁部３０と有する、所謂二重床構造をなすもので、プラテン２５の裏面側に当該プラテン２５とも離間して配置されている。圧力室形成体４５は、プラテン２５の裏面側に配置される複数の圧力室２７Ａと、これら複数の圧力室２７Ａのプラテン２５とは反対側であって壁部３０の裏面側に配置された圧力室２７Ｂとを有する。そして、相対的に大きい圧力室２７Ｂ上に複数の圧力室２７Ａが積層された構成とされている。
【００２９】
各圧力室２７Ａ（本実施形態では６つ）は、プラテン２５に形成された複数の吸引孔２６を介して外部と連通している。ここで、各圧力室２７Ａに開口する吸引孔２６の数は１つであっても複数であっても良い。複数の圧力室２７Ａは、プラテン２５の短手方向、つまり、ロール紙Ｒの搬送方向に交差する方向（紙幅方向）に並んでおり、同方向で隣り合う圧力室２７Ａ同士は仕切部３３によって仕切られている。
【００３０】
複数の仕切部３３（本実施形態では５つ）は、圧力室形成体４５の長辺方向（ロール紙Ｒの搬送方向）に延在する板部材であって、プラテン２５と壁部３０との間を繋ぐようにして立設され、プラテン２５に形成された多数の吸引孔２６のうち紙幅方向で隣り合う吸引孔２６どうしの間に配置されている。
【００３１】
壁部３０には、当該壁部３０の厚さ方向を貫通する吸引孔（第２吸引孔）３２が複数形成されている。この吸引孔３２は圧力室２７Ａごとに１つずつ形成されており、これら吸引孔３２を介して各圧力室２７Ａと圧力室２７Ｂとが連通することになる。
【００３２】
本実施形態では、各圧力室２７Ａに対応して、ロール紙Ｒの搬送方向に交差する方向（壁部３０の短手方向）に並ぶ複数の吸引孔３２により構成される孔列Ｌが、ロール紙Ｒの搬送方向の中央付近（壁部３０の長手方向中央付近）に位置しており、同方向に延在する各圧力室２７Ａに対して負圧を効率良く供給できるようになっている。
【００３３】
吸引孔３２は、壁部３０の長手方向に沿って所定の長さを有する長孔であり、各仕切部３３の近傍に形成されている。ここで、吸引孔３２の平面視形状や数、壁部３０の長手方向における孔列Ｌの位置については適宜変更が可能であり、上述したものに限られない。
【００３４】
複数の圧力室２７Ａはプラテン２５を天面とするとともに壁部３０を底面とする小型の密閉空間であり、圧力室２７Ｂは複数の圧力室２７Ａの底面、すなわち壁部３０を天面とする大型の密閉空間である。そして、この圧力室２７Ｂの底面（圧力室形成体４５の底面）に接続されるように、圧力室形成体４５に吸引機構２８が連結されている。なお、圧力室２７Ｂの側面に接続されるように、圧力室形成体４５に吸引機構２８が連結されていてもよい。
【００３５】
圧力室形成体４５の内部には、壁部３０に形成された多数の吸引孔３２を選択的に開閉することのできるシャッター機構５０が設けられている。このシャッター機構５０の構成等については、後述する。
【００３６】
吸引機構２８は、吸引孔３２を介して連通状態にある圧力室２７Ａ，２７Ｂの内部の空気を吸引して各空間内を負圧にするものである。具体的には、軸流ファン２９により、圧力室２７Ａ，２７Ｂの内部の空気を吸引するように構成されている。これにより、プラテン２５に形成された多数の吸引孔２６を介して外気が吸引されて、プラテン２５上に載置されたロール紙Ｒを媒体支持面２５ａに吸着保持するようになっている。
【００３７】
図２および図３に示すように、カール押さえ部３０１は、プラテン２５上に載置されたロール紙Ｒの側端Ｒａを、媒体支持面２５ａに向けて押さえることにより、ロール紙Ｒの側端Ｒａがカールしてプラテン２５から離間する、所謂浮き上がりを防止するものである。
具体的には、カール押さえ部３０１は、柔軟性および可僥性を有した一対の帯状フィルムからなるカール押さえ部材３１を備えている。各カール押さえ部材３１は、プラテン２５のＸ方向の両端側（ロール紙Ｒの幅方向の両端）において、Ｙ方向（ロール紙Ｒの搬送方向）に沿って同方向の全域に亘って配置される。
なお、カール押さえ部材３１は、例えば厚みが０．５ｍｍ以下、幅が３０ｍｍ程度である。また、素材としては、例えばポリイミド等を用いることができる。
【００３８】
各カール押さえ部材３１の両端（Ｙ方向の端部）は、それぞれ、カール押さえ取付部３５に連結されている。カール押さえ取付部３５は、それぞれ、プラテン２５の幅方向（Ｘ方向）とほぼ同一の長さを有する部材であって、プラテン２５の長手方向（Ｙ方向）の端部から離間した位置に、幅方向に沿って、インクジェットプリンター１の基体部（不図示）に固定されている。
【００３９】
また、カール押さえ取付部３５は、カール押さえ部材３１の両端を、それぞれＸ方向に沿って移動可能に連結している。これにより、各カール押さえ部材３１は、その両端をカール押さえ取付部３５に沿って移動させることで、プラテン２５の幅方向（Ｘ方向）の任意位置において、プラテン２５の長手方向（Ｙ方向）に平行に配置される。
したがって、プラテン２５の上面に載置したロール紙Ｒの幅方向（Ｘ方向）の両端を、長手方向（Ｙ方向）の全域に亘って押さえることが可能となっている。
【００４０】
図１に示す排出部４０は、巻き取りローラ４１を有し、記録部２０から送られたロール紙Ｒを、巻き取りローラ４１に巻き取るように構成されている。
なお、排出部４０は、記録部２０から送られたロール紙Ｒを巻き取りローラ４１で巻き取る際に、ロール紙Ｒの撓みを取り除くテンショナーや、記録部２０から送られたロール紙Ｒを加熱乾燥処理する乾燥部を備えることもある。
【００４１】
次に、媒体支持テーブル２４に設けられたシャッター機構５０の構成について詳述する。
図４はシャッター機構と壁部の構成を示す斜視図、図５は、シャッター機構と壁部との位置関係を示す上面図である。
【００４２】
図４および図５に示すように、シャッター機構５０は、上述したように、ロール紙Ｒのサイズ変更（幅寸法の変更）に応じて、プラテン２５に形成された多数の吸引孔３２を選択的に開閉することができるものであって、プラテン２５に形成された多数の吸引孔２６に対して選択的に吸着力を作用させる。
【００４３】
シャッター機構５０は、壁部３０の裏面側に平行に配置されたスライド板５２と、壁部３０に設けられた複数の吸引孔３２を選択的に閉塞可能な複数の閉塞部３４と、から構成されている。
スライド板５２は、プラテン２５の短手方向に長さを有する平面視矩形状を呈する板状部材であって、壁部３０の裏面と向かい合う表面上に複数の閉塞部３４（本実施形態では５つ）が設けられている。複数の閉塞部３４は、壁部３０に形成された多数の吸引孔３２に対応させるべく、互いに所定の間隔をおいて配置されている。つまり、スライド板５２上に配置された閉塞部３４が壁部３０の吸引孔３２と上面視で重なるように列状に配置されている。
【００４４】
ここで、全ての吸引孔３２を閉塞する必要はないことから、孔列Ｌの最も外側に位置する一つの吸引孔３２ａ（３２）に対応する閉塞部３４は設けなくてもよい。詳しくは後述するが、スライド板５２の引き出し方向（平行移動方向）から最も離れている吸引孔３２に対応する閉塞部３４は設けなくてもよい。これにより、本実施形態のインクジェットプリンター１で対応可能なロール紙Ｒの最大幅寸法よりも小さい幅寸法を有するロール紙Ｒを吸着保持できる。
【００４５】
このスライド板５２は、壁部３０に平行に配置された状態で、Ｘ方向（プラテン２５およびロール紙Ｒの幅方向）に、手動または自動で平行移動可能に構成されている。具体的には、スライド板５２は、＋Ｘ方向に、所定の間隔（ピッチ）で段階的に平行移動できるようになっている。例えば、６ｍｍ間隔（ピッチ）で段階的に平行移動することができ、図３および図４に示す初期位置から、Ｘ方向に向けて、６ｍｍ、１２ｍｍ、１８ｍｍ、２４ｍｍ、３０ｍｍ…等の位置に平行移動できるようになっている。
【００４６】
本実施形態では、スライド板５２を壁部３０に沿って平行移動させるので、その際の負荷を小さくするためにスライド板５２の厚みを数ｍｍ程度にすることが好適である。
また、閉塞部３４は、数ｍｍ程度の高さ（厚み）を有していることが好適であり、ゴムなどの弾性部材や空気を通しにくいスポンジ、樹脂材料等によって構成されていることが好ましい。後述するように、スライド板５２を平行移動させて任意の吸引孔３２上に対応する閉塞部３４を対向配置させることにより、吸引孔３２を閉塞することができる。
【００４７】
スライド板５２は、閉塞部３４を壁部３０側に向かって弾性変形（圧縮変形）させた状態で圧力室２７Ｂ内に組み込まれている。例えば、厚さ１２ｍｍの閉塞部３４の場合、その厚さの５０％が潰された状態となっている。
【００４８】
なお、スライド板５２はその殆どが圧力室２７Ｂの内部に略収容されている。ただし、スライド板５２は壁部３０に沿ってＸ方向に平行移動するため、圧力室形成体４５の側壁４５ａには、スライド板５２の一部（端部）が挿通される開口４５Ａ設けられており、スライド板５２の一端部が圧力室２７Ｂ（圧力室形成体４５）の外側に突出するように配置されている。
【００４９】
具体的に、圧力室形成体４５の側壁４５ａに設けられた開口４５Ａには、空気が漏れないように、不図示の気密機構が設けられている。そして、スライド板５２を開口４５Ａから圧力室２７Ｂ内に挿入し、開口４５Ａからスライド板５２を引き出すことで、スライド板５２を＋Ｘ方向に向けて平行移動できるように構成されている。
【００５０】
また、複数の閉塞部３４は、Ｘ方向に短辺方向が沿う平面視矩形状に形成され、吸引孔３２を覆うことのできる大きさで形成されている。本実施形態では、スライド板５２の移動方向（Ｘ方向）に沿う各閉塞部３４の長さ（幅）が、閉塞部３４のＸ方向（プラテン２５およびロール紙Ｒの幅方向）の配置位置に応じて異なっている。
【００５１】
具体的には、スライド板５２の移動方向一方側（−Ｘ方向側）に配置された閉塞部３４ａ（３４）の幅Ｗ１は、吸引孔３２の幅Ｗ０よりも長く形成されている。この閉塞部３４ａに対してＸ方向で隣り合う閉塞部３４ｂは、閉塞部３４ａの幅Ｗ１よりも＋Ｘ方向に長さを有する。さらに、＋Ｘ方向に向かうに従って、閉塞部３４ｃ、閉塞部３４ｄ、閉塞部３４ｅは、その幅寸法のみが段階的に＋Ｘ方向に行くにしたがって長くなるように形成されており、閉塞部３４ａ〜３４ｅの幅は、Ｗ１＜Ｗ２＜Ｗ３＜Ｗ４＜Ｗ５の関係となっている。
【００５２】
一方、複数の閉塞部３４の長辺方向（Ｙ方向）の長さＬ１は一定であって、吸引孔３２の長さＬ２よりも長くなるように形成されている。このように、各閉塞部３４によってそれぞれに対応する吸引孔３２の閉塞が可能な構成とされている。
【００５３】
また、各吸引孔３２の内周縁には面取り処理が施される。特に、吸引孔３２の圧力室２７Ｂ側の内周縁は、閉塞部３４と接触し、擦れ合うので、面取り処理の他、各種の低摩擦処理を施すことが好ましい。
【００５４】
なお、吸引孔３２や閉塞部３４の数や形状等は、図示したものに限らず適宜変更が可能である。
【００５５】
次に、上記構成を備えるシャッター機構５０の作用について説明する。
図３に示した状態、すなわちシャッター機構５０の初期状態（スライド板５２の初期位置）では、壁部３０に形成された複数の吸引孔３２は全て開放されており、これら各吸引孔３２を介して圧力室２７Ａ，２７Ｂが連通している。
【００５６】
この初期状態において、媒体支持テーブル２４の圧力室２７Ｂに連結された吸引機構２８を駆動して、軸流ファン２９を回転させて圧力室２７Ｂの内部を負圧にする。すると、壁部３０の各吸引孔３２を介して圧力室２７Ａの内部が負圧になり、プラテン２５に形成された全ての吸引孔２６を介して、プラテン２５の媒体支持面２５ａ上の空気（外気）が吸引される。これにより、ロール紙Ｒを媒体支持面２５ａに吸着保持することができる。
【００５７】
より詳細には、以下に示すように作用する。
図６は、媒体支持テーブル２４の吸引機構を駆動した際の作用を示す断面図である。
尚、図５および図６において、ロール紙（被記録媒体）Ｒ１の幅寸法（Ｘ方向の長さ）はプラテン２５の幅寸法と略同じ場合を示す。
【００５８】
図６（ａ）に示すように、ロール紙Ｒがプラテン２５上に送られた状態で、オペレーターがカール押さえ部材３１のＸ方向の位置をロール紙Ｒ１の側端Ｒａと対向する位置に合わせ、ロール紙Ｒ１の各側端Ｒａ上にカール押さえ部材３１を載置させる。
このとき、カール押さえ部材３１の外側端Ｅ１をロール紙Ｒ１の側端Ｒａよりも外側に位置するように配置してプラテン２５と接触させる。一方、カール押さえ部材３１の内側端Ｅ２をロール紙Ｒの側端Ｒａより内側に位置するように配置して、ロール紙Ｒ１の側端Ｒａと接触させる。
【００５９】
一対のカール押さえ部材３１には、ロール紙Ｒ１をプラテン２５側へと押さえる力が作用しているので、一対のカール押さえ部材３１の外側端Ｅ１をプラテン２５と少なくとも線接触させることができるとともに、一対のカール押さえ部材３１の内側端Ｅ２をロール紙Ｒの側端Ｒａと接触させることができる。
【００６０】
そして、上述したように、複数の吸引孔２６は、プラテン２５の媒体支持面２５ａにおいて少なくともロール紙Ｒ１の側端Ｒａおよびカール押さえ部材３１と対向する領域に設けられている。したがって、吸引機構２８を駆動することにより、プラテン２５とロール紙Ｒ１とカール押さえ部材３１により囲まれた空間Ａの空気が吸引孔２６を介して吸引される。
【００６１】
したがって、図６（ｂ）に示すように、ロール紙Ｒ１および一対のカール押さえ部材３１は、プラテン２５に密に接触した状態となり、媒体支持テーブル２４に吸着保持された状態となる。このようにして、ロール紙Ｒ１をプラテン２５の媒体支持面２５ａに沿った平面状態で吸着保持することができる。
【００６２】
次に、ロール紙Ｒ１に代えて、ロール紙Ｒ１よりも幅寸法が狭いロール紙（被記録媒体）Ｒ２を媒体支持テーブル２４に吸着保持させる場合について説明する。
図７（ａ）はスライド板５２の初期位置を示す概略断面図、（ｂ）は、スライド板５２を初期位置からＸ方向に向けて一段階だけ移動させた場合を示す概略断面図である。
例えば、ロール紙Ｒ２の幅寸法は、ロール紙Ｒ１よりも、吸引孔２６のＸ方向の配置ピッチ分（１ピッチ）だけ狭いものとする。このようなロール紙Ｒ２をプラテン２５の媒体支持面２５ａに載置する際には、所謂片端合わせ（端部基準）で載置する。
【００６３】
プラテン２５上に載置されたロール紙Ｒ２の幅寸法がロール紙Ｒ１よりも狭い場合には、吸引機構２８を駆動するに先立って、オペレーターがスライド板５２を初期位置（図５）から＋Ｘ方向に向けて平行移動させる。ロール紙Ｒ２の場合、幅寸法がロール紙Ｒ１よりも吸引孔２６のＸ方向の配置ピッチ分（１ピッチ分）だけ狭いので、スライド板５２を初期位置から＋Ｘ方向に向けて１段階だけ移動させる。
【００６４】
上述したように、シャッター機構５０の初期位置（スライド板５２の初期位置）では、壁部３０に設けられた全ての吸引孔３２は開放状態とされている。この初期位置から、スライド板５２を＋Ｘ方向に向けて所定の距離だけ移動させると、図７（ａ）に示すように、スライド板５２に設けられた複数の閉塞部３４のうち、スライド板５２の移動方向（Ｘ方向）でも最も外側に位置する吸引孔３２ａに対して閉塞部３４ｅが対向し、この吸引孔３２ａ内に閉塞部３ｅの一部が入り込むようにして開口が閉塞され、圧力室２７’（２７）が圧力室２７Ｂと遮断される。また、ロール紙Ｒ２が存在する領域に位置する複数の吸引孔３２は開放されており、これら開放状態にある５つの吸引孔３２を介して各圧力室２７Ａと圧力室２７Ｂとが連通する。
また、スライド板５２の＋Ｘ方向への移動と同時に、カール押さえ部材３１の一方を−Ｘ方向に移動して、ロール紙Ｒ２の側端Ｒａと対向する位置に合わせる。
【００６５】
そして、上記した状態で吸引機構２８を駆動することにより、図７（ｂ）に示すように、ロール紙Ｒ２はプラテン２５の媒体支持面２５ａに吸着保持された状態となる。
【００６６】
このとき、プラテン２５に形成された多数の吸引孔２６のうち、最も＋Ｘ方向に配置された吸引孔２６の上方には、ロール紙Ｒ２およびカール押さえ部材３１が存在しない状態である。このため、従来の媒体支持テーブル２４では、吸引機構２８を駆動すると、ロール紙Ｒ２が存在しない領域に位置する吸引孔２６から常に外気が吸引されるため、ロール紙Ｒ２がする領域に位置する他の吸引孔２６の吸着力が低下してしまい、ロール紙Ｒ２をプラテン２５に対して十分に吸着保持させることができない場合があった。
【００６７】
これに対して、本実施形態における媒体支持テーブル２４では、スライド板５２を＋Ｘ方向に移動させることにより、最も外側（＋Ｘ方向）の吸引孔３２ａが閉塞部３４ｅによって閉塞されるので、閉塞された吸引孔３２ａに対応する吸引孔２６から外気が吸引されることが殆どなくなる。
したがって、ロール紙Ｒ２が存在する領域に位置する他の複数の吸引孔２６の吸着力が低下することもない。これにより、ロール紙Ｒ１よりも幅寸法の狭いロール紙Ｒ２の場合であっても、ロール紙Ｒ１の場合と略同一の吸着力で、プラテン２５の媒体支持面２５ａに吸着保持させることができる。
【００６８】
さらに、ロール紙Ｒ１，Ｒ２よりも幅寸法が狭い（Ｘ方向の長さが短い）ロール紙等をプラテン２５に吸着保持させる場合には、その幅寸法に応じて、オペレーターがスライド板５２およびカール押さえ部材３１をＸ方向に向けて平行移動させる。
このように、幅寸法の異なるロール紙Ｒ（Ｒ２）を吸着させる場合であっても、ロール紙Ｒが存在しない領域に位置する吸引孔３２を閉塞することによって、ロール紙Ｒ１の場合と略同様の吸着力を維持することができ、プラテン２５の媒体支持面２５ａに対してロール紙Ｒ２を良好に吸着保持させることができる。
【００６９】
以上、説明したように、本実施形態に係るインクジェットプリンター１によれば、プラテン２５の裏面側に設けられ、複数の圧力室２７Ａとこれに対応する圧力室２７Ｂとの間に配置された壁部３０の全ての吸引孔３２が開放された状態においては、全ての吸引孔２６から外気を吸引してロール紙Ｒ１を吸着保持することができる。
そして、幅寸法の異なるロール紙（例えば、ロール紙Ｒ２）に代えた場合には、スライド板５２を壁部３０に対して平行に移動させることで、ロール紙Ｒ２が載置されていない吸引孔２６に対応する吸引孔３２を閉塞部３４により選択的に閉塞し、この状態で吸引を行う。これにより、ロール紙Ｒ２が存在する領域に対応する吸引孔２６からが行きを吸引してロール紙Ｒ２を吸着保持することができる。
【００７０】
例えば、吸引機構２８が１つの場合、ロール紙Ｒの幅寸法に応じて吸着力を発生させる領域を制御しないと、ロール紙Ｒ２に対する吸引力が低下してしまうという不具合が生じる。
これに対して、本実施形態の構成によれば、ロール紙Ｒ２が存在しない領域に位置する吸引孔３２を選択的に閉塞することにより、これに対応する吸引孔２６を介してプラテン２５上の空気を吸引することができなくなる。このため、ロール紙Ｒ２が存在する領域に位置する吸引孔２６に対して吸引力を効果的に作用させることができる。したがって、ロール紙Ｒ２に対する吸引力が十分に得られるため、幅寸法の異なるロール紙Ｒ２であっても、媒体支持面２５ａに確実に吸引保持させることができる。
【００７１】
また、スライド板５２の平面視における大きさは、プラテン２５のそれよりも大幅に小さいものとなっている。このため、壁部３０の裏面側に配置される構成であっても、スライド板５２が自重により撓みにくくなり、閉塞部３４を壁部３０に密着させることができる。このため、吸引孔３２に対する閉塞部３４の閉塞性を確保しやすく、閉塞すべき吸引孔３２からの空気漏れが防止される。これにより、シャッター機構５０としての機能性および操作性を低下させることなく、壁部３０に設けられた吸引孔３２を閉塞部３４によって選択的に閉塞させて、ロール紙Ｒを吸着保持することができる。
【００７２】
また、スライド板５２の平行移動方向がロール紙Ｒの幅方向に一致するので、ロール紙Ｒの幅寸法の変化に応じて、吸引孔３２を選択的に開閉させることができる。つまり、スライド板５２の移動方向に並ぶ複数の閉塞部３４（３４ａ〜３４ｅ）のそれぞれは、スライド板５２の移動方向における配置位置に従って、順次、長さが異なっているので、スライド板５２の平行移動量に応じて、複数の吸引孔３２を段階的・選択的に開閉することができる。よって、ロール紙Ｒの幅寸法に合わせて吸引機構２８による吸引量（出力）を可変制御することが可能になる。
【００７３】
さらに、スライド板５２の移動方向に沿って閉塞部３４の延在長さを段階的に異ならせることで、スライド板５２の移動距離を最小限に抑えられる。このため、装置の設置領域も最小限に抑えることができる。
【００７４】
また、吸引孔３２の内周面を面取り加工するなど、スライド板５２の閉塞部３４との摩擦を低減する処理を施すことにより、長期間に亘って吸引孔３２の閉塞時の空気漏れを抑えることができる。
【００７５】
さらに、閉塞部３４の表面あるいは壁部３０の上面に対して科学的な処理を施すことにより、これらの摩擦抵抗を低減させるようにしてもよい。
また、１つの圧力室２７Ａに１つの吸引孔２６が連通する構成であっても、１つの圧力室２７Ａに複数の吸引孔２６が連通する構成となっていても良い。
【００７６】
また、スライド板５２は薄い金属板を板金加工することによって作製される。
本実施形態のスライド板５２は、従来のものに比べて小型で撓みにくい構成となっている。また、各閉塞部３４が圧力室形成体４５内に組み込む前の厚さから略半分程度にまで圧縮させた状態であるため、吸引孔３２に対向配置された際に吸引孔３２内に一部が入り込むように若干弾性復帰することで、吸引孔３２が閉塞されるようになっている。
このため、たとえスライド板５２の平坦度が低くても閉塞効果への影響は少ないと言える。したがって、本実施形態の構成であれば、板金による加工精度に起因する空気漏れが生じるような不具合は生じにくい。
【００７７】
［第２実施形態］
次に、第２実施形態の記録装置の構成について、シャッター機構６０の構成を中心に述べる。
先の実施形態では、圧力室２７Ａごとに吸引孔３２が１つずつ設けられていたが、本実施形態においては、１つの圧力室２７Ａに対して複数の吸引孔３２が設けられており、これら吸引孔３２の増加に応じて複数のスライド板５２を備えたシャッター機構６０を具備する。
【００７８】
図８は、シャッター機構６０の概略構成を示す平面図である。
図８に示すように、本実施形態の壁部３０には、複数の吸引孔３２からなる孔列Ｌが壁部３０の長手方向に沿って複数形成されている。本実施形態では４つの孔列Ｌを設けたがこれに限られることはない。また、壁部３０の裏面側には、各孔列Ｌに対応するスライド板５２が複数（４つ）設けられており、これらを不図示の連結部材によって部分的に連結された構成としておくことで、各スライド板５２を同時にスライド方向へと移動させることができる。例えば、スライド板５２の圧力室形成体４５から外側へと突出するスライド板５２の一端側どうしが連結された構成としてもよい。
【００７９】
このように、１つの圧力室２７に連通する吸引孔３２の数を増やすことによって、吸引機構２８によって各圧力室２７内を迅速に負圧にすることができるので、プラテン２５上に載置されたロール紙Ｒを素早く吸着してすぐに印刷処理を開始することができる。よって、記録処理時間が短縮される。
【００８０】
また、プラテン２５の媒体支持面２５ａ上に載置されたロール紙Ｒの側部を搬送方向に沿って広い範囲に亘って吸着させることができるので、ロール紙Ｒの印刷対象領域を良好な姿勢で保持することができる。これにより、印刷精度を向上させることができる。
【００８１】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００８２】
なお、上述した実施形態においては、記録装置としてインクジェットプリンターを例にして説明したが、インクジェットプリンターに限られず、複写機およびファクシミリ等の装置であってもよい。
また、上述した実施形態においては、被記録媒体の一例としてロール紙Ｒを挙げて説明したが、単票紙やフィルム材であってもよい。
【００８３】
また、吸引機構２８の軸流ファン２９の数は１つに限らず、複数備えるようにしてもよい。
【００８４】
また、上述の実施形態においては、記録装置として、インク等の液体を噴射するインクジェットプリンター（液体噴射装置）を例にして説明したが、インク以外の他の液体を噴射したり、吐出したりする液体噴射装置に適用することができる。液体噴射装置が噴射可能な液体は、機能材料の粒子が分散または溶解されている液状態、ジェル状の流状態を含む。
【００８５】
また、上述した実施形態において、記録装置（液体噴射装置）から噴射される液体としては、インクのみならず、特定の用途に対応する液体を適用可能である。液体噴射装置に、その特定の用途に対応する液体を噴射可能な噴射ヘッドを設け、その噴射ヘッドから特定の用途に対応する液体を噴射して、その液体を所定の物体に付着させることによって、所定のデバイスを製造可能である。例えば、液体噴射装置は、液晶ディスプレイ、ＥＬ（エレクトロルミネッセンス）ディスプレイ、及び面発光ディスプレイ（ＦＥＤ）の製造等に用いられる電極材、色材等の材料を所定の分散媒（溶媒）に分散（溶解）した液体（液状体）を噴射する液体噴射装置に適用可能である。
【００８６】
また、流体噴射装置としては、バイオチップ製造に用いられる生体有機物を噴射する液体噴射装置、精密ピペットとして用いられ試料となる液体を噴射する液体噴射装置であってもよい。
さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、ジェルを噴射する流状体噴射装置であってもよい。そして、これらのうちいずれか一種の液体噴射装置に本発明を適用することができる。
【符号の説明】
【００８７】
１…インクジェットプリンター（記録装置）、Ｌ…孔列、Ｙ…搬送方向、２０…記録部（記録処理部）、２５…プラテン（媒体支持部）、２５ａ…媒体支持面、２６，３２，３２ａ…吸引孔、２６…吸引孔（第１吸引孔）、２７Ａ…圧力室（第１吸引部）、２７Ｂ…圧力室（第２吸引部）、２８…吸引機構、３０…壁部、３１…カール押さえ部材、３２…吸引孔（第２吸引孔）、３３…仕切部、３４，３４ａ，３４ｂ，３４ｃ，３４ｄ，３４ｅ…閉塞部、Ｌ１，Ｌ２…長さ、Ｒ１，Ｒ２…ロール紙（被記録媒体）
【図１】
0005732946.tif 000002
【図２】
0005732946.tif 000003
【図３】
0005732946.tif 000004
【図４】
0005732946.tif 000005
【図５】
0005732946.tif 000006
【図６】
0005732946.tif 000007
【図７】
0005732946.tif 000008
【図８】
0005732946.tif 000009